(57)【特許請求の範囲】
【請求項１】
光ディスクに所定の案内溝が形成されているか否かを、前記案内溝の蛇行に対応したウォブル信号によって検出する案内溝検出器と、
前記光ディスクに記録再生用ディスクにおいて情報を記録する箇所を指定するためのプリピットが形成されているか否かを検出するプリピット検出器と、
前記案内溝検出器及び前記プリピット検出器の検出結果に基づいて、前記光ディスクが再生専用ディスクであるか記録再生用ディスクであるかを判別する判別部と
を備える光学式再生装置。
【請求項２】
前記案内溝検出器は、前記案内溝の蛇行の周波数によって規定されるウォブリング周波数近傍の周波数帯域のみを対象として前記ウォブル信号の有無を検出することにより、前記光ディスクに前記案内溝が形成されているか否かを検出することを特徴とする、請求項１に記載の光学式再生装置。
【請求項３】
光ディスクに記録再生用ディスクにおいて情報を記録する箇所を指定するためのプリピットが形成されているか否かを検出するプリピット検出器と、
前記プリピット検出器の検出結果に基づいて、前記光ディスクが再生専用ディスクであるか記録再生用ディスクであるかを判別する判別部と
を備える光学式再生装置。
【請求項４】
前記プリピット検出器は、トラッキングサーボ信号の極性を反転させて得られる再生信号に基づいて、前記光ディスクに前記プリピットが形成されているか否かを検出することを特徴とする、請求項１〜３のいずれか一つに記載の光学式再生装置。
【請求項５】
（ａ）光ディスクに所定の案内溝が形成されているか否かを、前記案内溝の蛇行に対応したウォブル信号によって検出する工程と、
（ｂ）前記工程（ａ）において前記案内溝が検出されなかった場合に実行され、前記光ディスクに記録再生用ディスクにおいて情報を記録する箇所を指定するためのプリピットが形成されているか否かを検出する工程と、
（ｃ）前記工程（ａ）及び（ｂ）の判定結果に基づいて、前記光ディスクが再生専用ディスクであるか記録再生用ディスクであるかを判別する工程と
を備える、光ディスクの種別判別方法。
【請求項６】
前記工程（ａ）では、前記案内溝の蛇行の周波数によって規定されるウォブリング周波数近傍の周波数帯域のみを対象としてウォブル信号の有無を検出することにより、前記光ディスクに前記案内溝が形成されているか否かが検出されることを特徴とする、請求項５に記載の光ディスクの種別判別方法。
【請求項７】
前記工程（ｂ）では、トラッキングサーボ信号の極性を反転させて得られる再生信号に基づいて、前記光ディスクに前記プリピットが形成されているか否かが検出されることを特徴とする、請求項５又は６に記載の光ディスクの種別判別方法。
【請求項８】
（ａ）光ディスクに記録再生用ディスクにおいて情報を記録する箇所を指定するためのプリピットが形成されているか否かを検出する工程と、
（ｂ）前記工程（ａ）の判定結果に基づいて、前記光ディスクが再生専用ディスクであるか記録再生用ディスクであるかを判別する工程と
を備える、光ディスクの種別判別方法。
【請求項９】
前記工程（ａ）では、トラッキングサーボ信号の極性を反転させて得られる再生信号に基づいて、前記光ディスクに前記プリピットが形成されているか否かが検出されることを特徴とする、請求項８に記載の光ディスクの種別判別方法。
【発明の詳細な説明】
【０００１】
【発明の属する技術分野】
この発明は、光ディスクを再生する光学式再生装置、及び光ディスクの種別判別方法に関するものであり、特に、再生する光ディスクが再生専用ディスクであるか記録再生用ディスクであるかを判別する機能を有する光学式再生装置、及び光ディスクの種別判別方法に関する。
【０００２】
【従来の技術】
光ディスクには、ＤＶＤ（Digital Versatile Disc）に代表される再生専用ディスクと、ＤＶＤ−Ｒ（DVD-Recordable disc）やＤＶＤ−ＲＷ（DVD-Rerecordable disc）に代表されるような、記録及び再生が可能な記録再生用ディスクとがある。記録再生が可能な装置では、記録再生用ディスク以外にも再生専用ディスクも再生するので、光ディスクが挿入された時に、その光ディスクが再生専用ディスクであるのか、記録再生用ディスクであるのかを判別する必要がある。また、再生専用装置であっても、記録再生用ディスクに違法コピーされた情報の再生を禁止して著作権を保護する観点から、挿入された光ディスクが再生専用ディスクであるか記録再生用ディスクであるかを判別する必要がある。
【０００３】
記録再生用ディスクには、光ディスクの回転数を制御するために、所定の周期でウォブリング（蛇行）した案内溝が設けられている。一方、再生専用ディスクでは、すでに信号がピットの形で刻まれており、再生信号から光ディスクの回転数を制御するため、記録再生用ディスクにあるような案内溝は設けられていない。そこで、この案内溝の有無を検出することにより、装置に挿入された光ディスクが再生専用ディスクであるか記録再生用ディスクであるかを判別することができる。
【０００４】
図５は、以上のような光ディスクの種別判別機能を有する、従来の光学式再生装置の構成を示すブロック図であり、図６は、その動作を説明するためのフローチャートである（特許公報第2751629号参照）。装置に光ディスク１０１が挿入されると、ディスクモータ１０２によって光ディスク１０１が回転される。そして、光ヘッド１０３によって読み出された再生信号は、再生信号直流レベル検出器１２２によって２値出力とされ、この２値出力によって光ディスク１０１が検出される。
【０００５】
次に、案内溝検出器１２０によって、光ディスク１０１に案内溝が形成されているか否かが検出される（ステップＳＰ１０１）。この具体的な動作については後に詳述する。ステップＳＰ１０１において案内溝が検出されなかった場合は、光ディスク１０１は再生専用ディスクであると判断して、動作を終了する。
【０００６】
一方、ステップＳＰ１０１において案内溝が検出された場合は、アドレスデコーダ１２１によって、リードインエリアの内容が確認される（ステップＳＰ１０２）。その結果、リードインエリアにアドレス情報が記録されていることが検出された場合は、光ディスク１０１は記録済みの記録再生用ディスクであると判断して動作を終了する。
【０００７】
一方、ステップＳＰ１０２において、リードインエリアにアドレス情報が記録されていないことが検出された場合は、アドレスデコーダ１２１によって、プログラムメモリエリアの内容が確認される（ステップＳＰ１０３）。ここで、プログラムメモリエリアは、途中まで記録した光ディスクのアドレス情報を仮に記録しておくための領域であり、光ディスクの記録が完了すると、プログラムメモリエリアのアドレス情報はリードインエリアに書き直される。
【０００８】
ステップＳＰ１０３においてプログラムメモリエリアにアドレス情報が記録されていることが検出された場合は、光ディスク１０１は途中まで記録済みの記録再生用ディスクであると判断して動作を終了する。一方、プログラムメモリエリアにアドレス情報が記録されていないことが検出された場合は、光ディスク１０１は未だ何も記録されていない記録再生用ディスクであると判断して動作を終了する。
【０００９】
さて次に、光ディスク１０１に案内溝が形成されているか否かを検出する方法（ステップＳＰ１０１）について、具体的に説明する。図７は、記録再生用ディスクに形成された案内溝を概念的に示す図である。図７に示すように、案内溝１３０は所定の周期で正弦波状に蛇行しており、本来の案内溝中心は破線１３１で示す正弦波状の曲線である。しかし、光ヘッド１０３で読み取る光スポット１３２はトラッキング状態であってもこの蛇行に追従することはできず、一点鎖線１３３で示すようにほぼ直線状に進む。従って、微視的に見ればウォブリングの振幅分だけオフトラックしていることになる。
【００１０】
図８は、プッシュプルトラッキングセンサの構成を示す回路図である。プッシュプルトラッキングセンサは、２分割光検知器１４０ａ，１４０ｂと、２個の入力端子が２分割光検知器１４０ａ，１４０ｂにそれぞれ接続された差分器１４１とを備えている。図７に示した一点鎖線１３３上を進む光スポット１３２の反射スポット１４３を、プッシュプルトラッキングセンサによって受光する。すると、上記のようにウォブリングの振幅分だけオフトラックが生じることに起因して、プッシュプルトラッキングセンサの出力端子１４２で検出される差分器１４１の出力信号（即ちプッシュプル信号）は、図９に示すように、ウォブリングの周期に同期した正弦波状の信号となる。
【００１１】
一方、図１０は、再生専用ディスクに形成されたピットを概念的に示す図である。再生専用ディスクには案内溝が形成されておらず、複数のピット１５０が直線状に並んで形成されている。そのため、トラッキング状態ではオフトラックが生じない。従って、光スポット１３２の反射スポット１４３をプッシュプルトラッキングセンサで受光した場合、プッシュプル信号は、図１１に示すように、ほぼゼロで一定の信号となる。
【００１２】
このように、トラッキング状態でプッシュプル信号を検出することにより、プッシュプル信号上に重畳される形で現れる正弦波状の信号（ウォブル信号）が検出された場合は、光ディスク１０１に案内溝１３１が形成されていると判断でき、一方、ウォブル信号が検出されなかった場合は、光ディスク１０１に案内溝が形成されていないと判断できる。
【００１３】
【発明が解決しようとする課題】
しかしながら、光ディスクに形成された案内溝の蛇行の周波数は、当該光ディスクに規定された固有値を用いるものが多く、そのため、検出されるウォブル信号の周波数帯域は狭い周波数帯域に規定されている。従って、図１２に示すように、差分器１４１とプッシュプルトラッキングセンサの出力端子１４２との間に、ウォブル信号周波数帯域に一致又は近接したノッチフィルタ１６０を意図的に挿入することにより、プッシュプル信号上に重畳されたウォブル信号を除去することができる。その結果、記録再生用ディスクであるにも拘わらず再生専用ディスクと誤って装置に認識させることができ、記録再生用ディスクに違法コピーされた情報の再生を行わせることが可能となる。このように従来の光学式再生装置には、ノッチフィルタを用いることによって、再生専用ディスクであるか記録再生用ディスクであるかの種別判別を意図的に誤らせることができるという問題があった。
【００１４】
本発明はかかる問題を解決するために成されたものであり、ノッチフィルタの挿入によりウォブル信号が除去された場合であっても、再生専用ディスクと記録再生用ディスクとの種別判別を正確に実行し得る光学式再生装置、及び光ディスクの種別判別方法を得ることを目的とするものである。
【００１５】
【課題を解決するための手段】
この発明のうち請求項１に記載の光学式再生装置は、光ディスクに所定の案内溝が形成されているか否かを、案内溝の蛇行に対応したウォブル信号によって検出する案内溝検出器と、光ディスクに記録再生用ディスクにおいて情報を記録する箇所を指定するためのプリピットが形成されているか否かを検出するプリピット検出器と、案内溝検出器及びプリピット検出器の検出結果に基づいて、光ディスクが再生専用ディスクであるか記録再生用ディスクであるかを判別する判別部とを備えるものである。
【００１６】
また、この発明のうち請求項２に記載の光学式再生装置は、請求項１に記載の光学式再生装置であって、案内溝検出器は、案内溝の蛇行の周波数によって規定されるウォブリング周波数近傍の周波数帯域のみを対象としてウォブル信号の有無を検出することにより、光ディスクに案内溝が形成されているか否かを検出することを特徴とするものである。
【００１７】
また、この発明のうち請求項３に記載の光学式再生装置は、光ディスクに記録再生用ディスクにおいて情報を記録する箇所を指定するためのプリピットが形成されているか否かを検出するプリピット検出器と、プリピット検出器の検出結果に基づいて、光ディスクが再生専用ディスクであるか記録再生用ディスクであるかを判別する判別部とを備えるものである。
【００１８】
また、この発明のうち請求項４に記載の光学式再生装置は、請求項１〜３のいずれか一つに記載の光学式再生装置であって、プリピット検出器は、トラッキングサーボ信号の極性を反転させて得られる再生信号に基づいて、光ディスクにプリピットが形成されているか否かを検出することを特徴とするものである。
【００１９】
また、この発明のうち請求項５に記載の光ディスクの種別判別方法は、（ａ）光ディスクに所定の案内溝が形成されているか否かを、案内溝の蛇行に対応したウォブル信号によって検出する工程と、（ｂ）工程（ａ）において案内溝が検出されなかった場合に実行され、光ディスクに記録再生用ディスクにおいて情報を記録する箇所を指定するためのプリピットが形成されているか否かを検出する工程と、（ｃ）工程（ａ）及び（ｂ）の判定結果に基づいて、光ディスクが再生専用ディスクであるか記録再生用ディスクであるかを判別する工程とを備えるものである。
【００２０】
また、この発明のうち請求項６に記載のディスク種別の判別方法は、請求項５に記載の光ディスクの種別判別方法であって、工程（ａ）では、案内溝の蛇行の周波数によって規定されるウォブリング周波数近傍の周波数帯域のみを対象としてウォブル信号の有無を検出することにより、光ディスクに案内溝が形成されているか否かが検出されることを特徴とするものである。
【００２１】
また、この発明のうち請求項７に記載のディスク種別の判別方法は、請求項５又は６に記載の光ディスクの種別判別方法であって、工程（ｂ）では、トラッキングサーボ信号の極性を反転させて得られる再生信号に基づいて、光ディスクにプリピットが形成されているか否かが検出されることを特徴とするものである。
【００２２】
また、この発明のうち請求項８に記載のディスク種別の判別方法は、（ａ）光ディスクに記録再生用ディスクにおいて情報を記録する箇所を指定するためのプリピットが形成されているか否かを検出する工程と、（ｂ）工程（ａ）の判定結果に基づいて、光ディスクが再生専用ディスクであるか記録再生用ディスクであるかを判別する工程とを備えるものである。
【００２３】
また、この発明のうち請求項９に記載のディスク種別の判別方法は、請求項８に記載の光ディスクの種別判別方法であって、工程（ａ）では、トラッキングサーボ信号の極性を反転させて得られる再生信号に基づいて、光ディスクにプリピットが形成されているか否かが検出されることを特徴とするものである。
【００２４】
【発明の実施の形態】
実施の形態１．
図１は、本発明の実施の形態１に係る光学式再生装置の構成を示すブロック図である。図１に示すように本実施の形態１に係る光学式再生装置は、ＤＶＤ、ＤＶＤ−Ｒ、ＤＶＤ−ＲＷ等の光ディスク１を回転させるディスクモータ２と、光ビームを集束して得られた光スポットを光ディスク１に照射するための光ヘッド３と、光ヘッド３にそれぞれ接続された案内溝検出器４及びプリピット検出器５と、案内溝検出器４及びプリピット検出器５に接続された判別部６とを備えている。判別部６は、案内溝検出器４及びプリピット検出器５の検出結果に基づいて、光ディスク１が再生専用ディスクであるか記録再生用ディスクであるかを判別するものである。案内溝検出器４は、図５，８に示した従来の案内溝検出器１２０と同様である。また、プリピット検出器５は、光ディスク１からの反射光の強度に基づいて、光ディスク１にプリピットが形成されているか否かを検出するものである。
【００２５】
ここで、プリピットとは、光ディスク上で情報を記録する箇所を指定するため等の目的で、記録再生用ディスクであるＤＶＤ−Ｒ、ＤＶＤ−ＲＷの、隣接案内溝間（すでに案内溝に情報が記録されている場合は、隣接記録ピット間ということになる）に予め形成されている所定のピットであり、ランドプリピットとも呼ばれている。再生専用ディスクであるＤＶＤでは、光ディスク１にさらに情報が記録されるということはないため、プリピットは形成されていない。
【００２６】
図２は、本実施の形態１に係る光学式再生装置によるディスク種別の判別動作を説明するためのフローチャートである。まず、案内溝検出器４によって、光ディスク１に所定の案内溝が形成されているか否かを検出する（ステップＳＰ１）。具体的には、ディスクモータ２によって回転された光ディスク１に、フォーカシング及びトラッキングされた光スポットを光ヘッド３から照射し、反射スポットをプッシュプルトラッキングセンサによって受光することにより、プッシュプル信号を検出する。そして、そのプッシュプル信号にウォブル信号が重畳されているか否かを検出する。その結果、ウォブル信号が検出された場合、判別部６は、光ディスク１には案内溝が形成されており、その光ディスク１は記録再生用ディスクであると判断して、動作を終了する。
【００２７】
ステップＳＰ１においてウォブル信号が検出されなかったということは、その光ディスク１が再生専用ディスクであるか、あるいは、記録再生用ディスクであるにも拘わらず、ノッチフィルタが挿入されてウォブル信号が除去されたということになる。そこで、ステップＳＰ１においてウォブル信号が検出されなかった場合は、プリピット検出器５によって、光ディスク１にプリピットが形成されているか否かを検出する（ステップＳＰ２）。判別部６は、プリピットが検出されなかった場合は、光ディスク１は再生専用ディスクであると判断し、一方、プリピットが検出された場合は、光ディスク１は記録再生用ディスクであると判断して、動作を終了する。
【００２８】
なお、案内溝検出器４による案内溝の検出動作に関して、光ディスク１に案内溝が形成されているか否かを判断するには、ウォブル信号の信号振幅等の信号特性の確認は必要ではなく、単にウォブル信号が存在するか否かの情報さえ得られればよい。上記のように、ウォブリング周波数は光ディスクによって所定の値（あるいは狭い範囲）に規定されている。従って、全ての周波数帯域を対象として調査するのではなく、ウォブリング周波数近傍の周波数帯域のみを対象として、ウォブル信号の有無を検出すれば足りる。これにより、ウォブル信号の有無を迅速に判断することが可能となる。
【００２９】
このように本実施の形態１に係る光学式再生装置及び光ディスクの種別判別方法によれば、光ディスク１に案内溝が形成されているか否かの確認だけではなく、プリピットが形成されているか否かをも確認して、その光ディスク１が再生専用ディスクであるか記録再生用ディスクであるかを判断する。従って、ノッチフィルタの挿入によりウォブル信号が除去された場合であっても、再生専用ディスクと記録再生用ディスクとの種別判別を正確に実行することができる。その結果、記録再生用ディスクに情報が違法コピーされた場合であっても、記録再生用ディスクの再生を禁止することによって、その著作権を適切に保護することが可能となる。
【００３０】
実施の形態２．
図３，４は、本発明の実施の形態２に係る、プリピットの検出方法を説明するための模式図である。図３，４において、案内溝１０は実際には蛇行しており、プリピット１１は、隣接する案内溝１０同士の間に形成されている。
【００３１】
上記実施の形態１に係る光学式再生装置では、図３に示すように、光ヘッド３からの光スポット１２を再生トラック（記録再生用ディスクの場合は案内溝１０）上にトラッキングして反射ビームを受光することにより、光ディスク１に案内溝１０が形成されているか否かを検出する。そして、案内溝１０が検出されなかった場合は、光スポット１２を再生トラック上にトラッキングしたまま、次にプリピット１１の検出動作を実行する。
【００３２】
しかしながら、プリピット１１は隣接案内溝間に形成されているため、光スポット１２を再生トラック上にトラッキングしたままでは、プリピット１１は光スポット１２の中心に入らない。そのため、プリピットの形成の有無に起因する反射光の強度差が小さいため、実際にはプリピット１１が形成されているにも拘わらず、プリピット１１が形成されていないと誤って判断される可能性がある。
【００３３】
そこで、本実施の形態２に係る光学式再生装置では、光ディスク１にプリピット１１が形成されているか否かの判断を実行する際には、図３に示すように再生トラック上にトラッキングされている光スポット１２を、図４に示すように隣接再生トラック間上にトラッキングし、これによって得られる再生信号に基づいてプリピット１１の検出動作を実行する。トラッキングの修正は、トラッキングサーボの極性を反転させることによって容易に行うことができる。即ち、再生トラック上がトラッキング位置であるという状態から、再生トラック上ではない箇所がトラッキング位置であるという状態に設定し直すことによって、トラッキング位置を修正することができる。
【００３４】
このように本実施の形態２に係る光学式再生装置及び光ディスクの種別判別方法によれば、光スポット１２のトラッキング位置を隣接再生トラック間上に移動させて、プリピットの形成の有無を検出するため、光ディスク１にプリピットが形成されいるか否かの判断を、正確に実行することができる。
【００３５】
【発明の効果】
この発明のうち請求項１に係るものによれば、ノッチフィルタの挿入によりウォブル信号が除去された場合であっても、再生専用ディスクと記録再生用ディスクとの種別判別を正確に実行することができる。
【００３６】
また、この発明のうち請求項２に係るものによれば、全ての周波数帯域を対象としてウォブル信号の有無を検出する場合と比較すると、ウォブル信号の有無を迅速に判断することが可能となる。
【００３７】
また、この発明のうち請求項３に係るものによれば、ノッチフィルタの挿入によりウォブル信号が除去された場合であっても、再生専用ディスクと記録再生用ディスクとの種別判別を正確に実行することができる。
【００３８】
また、この発明のうち請求項４に係るものによれば、トラッキングサーボ信号の極性を反転させることによって、隣接再生トラック間上にトラッキングすることができる。従って、再生トラック上をトラッキング位置としてプリピットの検出を行う場合と比較すると、プリピットの形成の有無に起因する反射光の強度差が大きくなるため、光ディスクにプリピットが形成されているか否かの判断を正確に実行することができる。
【００３９】
また、この発明のうち請求項５に係るものによれば、ノッチフィルタの挿入によりウォブル信号が除去された場合であっても、再生専用ディスクと記録再生用ディスクとの種別判別を正確に実行することができる。
【００４０】
また、この発明のうち請求項６に係るものによれば、全ての周波数帯域を対象としてウォブル信号の有無を検出する場合と比較すると、ウォブル信号の有無を迅速に判断することが可能となる。
【００４１】
また、この発明のうち請求項７に係るものによれば、トラッキングサーボ信号の極性を反転させることによって、隣接再生トラック間上にトラッキングすることができる。従って、再生トラック上をトラッキング位置としてプリピットの検出を行う場合と比較すると、プリピットの形成の有無に起因する反射光の強度差が大きくなるため、光ディスクにプリピットが形成されているか否かの判断を正確に実行することができる。
【００４２】
また、この発明のうち請求項８に係るものによれば、ノッチフィルタの挿入によりウォブル信号が除去された場合であっても、再生専用ディスクと記録再生用ディスクとの種別判別を正確に実行することができる。
【００４３】
また、この発明のうち請求項９に係るものによれば、トラッキングサーボ信号の極性を反転させることによって、隣接再生トラック間上にトラッキングすることができる。従って、再生トラック上をトラッキング位置としてプリピットの検出を行う場合と比較すると、プリピットの形成の有無に起因する反射光の強度差が大きくなるため、光ディスクにプリピットが形成されているか否かの判断を正確に実行することができる。
【図面の簡単な説明】
【図１】  本発明の実施の形態１に係る光学式再生装置の構成を示すブロック図である。
【図２】  本発明の実施の形態１に係る光学式再生装置による、ディスク種別の判別動作を説明するためのフローチャートである。
【図３】  本発明の実施の形態２に係るプリピットの検出方法を説明するための模式図である。
【図４】  本発明の実施の形態２に係るプリピットの検出方法を説明するための模式図である。
【図５】  従来の光学式再生装置の構成を示すブロック図である。
【図６】  従来の光学式再生装置の動作を説明するためのフローチャートである。
【図７】  記録再生用ディスクに形成された案内溝を概念的に示す図である。
【図８】  プッシュプルトラッキングセンサの構成を示す回路図である。
【図９】  プッシュプル信号の信号波形を示すグラフである。
【図１０】  再生専用ディスクに形成されたピットを概念的に示す図である。
【図１１】  プッシュプル信号の信号波形を示すグラフである。
【図１２】  従来の光学式再生装置の問題点を説明するための回路図である。
【符号の説明】
３  光ヘッド、４  案内溝検出器、５  プリピット検出器、６  判別部、１０案内溝、１１  プリピット。
【図１】
0003996341.tif 000002
【図２】
0003996341.tif 000003
【図３】
0003996341.tif 000004
【図４】
0003996341.tif 000005
【図５】
0003996341.tif 000006
【図６】
0003996341.tif 000007
【図７】
0003996341.tif 000008
【図８】
0003996341.tif 000009
【図９】
0003996341.tif 000010
【図１０】
0003996341.tif 000011
【図１１】
0003996341.tif 000012
【図１２】
0003996341.tif 000013